(57)【要約】【課題】伝送帯域が限られる伝送路での通信は、ヘッダ圧縮や符号変換などで効率化伝送を行うが、複数呼が通信中時に、更に新たな呼を接続し使用した時、フルヘッダパケットが送出されると、他の呼のパケットに廃棄や遅延を生じさせる。【解決手段】送信用のパケットヘッダからSIPパケットモニタ手段で取得の情報を割愛し、装置区間外と区間内の両符号化方式のパケットタイプ情報を付加したショートヘッダと、送信用パケットの音声データを更に符号化した符号化音声データをパケットに組立て送出し、対向装置からの受信パケットの中のパケット情報を基に、受信側符号変換手段で符号変換された音声データと、SIPパケットモニタ手段からの情報で、受信パケットのショートヘッダをパケットヘッダ復元手段で復元したパケットヘッダをパケットに組立て電話装置側に送出する。【選択図】図２
2008311858.tif 000002
【特許請求の範囲】
【請求項１】
受信側装置を備えた受信側の音声伝送装置にパケットを送信する送信側装置として、ペイロード分離手段と、ショートヘッダ生成手段と、送信側符号変換手段と、送信側パケット組み立て手段と、符号変換制御手段と、SIPパケットモニタ手段と、送信側パケットタイプ制御手段とを備え、
ペイロード分離手段は、入力されたIP/UDP/RTPパケットからパケットヘッダとペイロードを分離し、
符号変換制御手段は、複数の区間内符号化方式から一つの符号化方式を選択し、
SIPパケットモニタ手段は、入力されたSIPパケットをモニタして取得した区間外で使用する符号化方式とIP/UDP/RTPパケットヘッダに関する情報を出力し、
送信側パケットタイプ制御手段は、SIPパケットモニタ手段からの区間外符号化方式情報と、符号変換制御手段からの区間内符号化方式情報とを組み合わせてパケットタイプ情報を生成し、
ショートヘッダ生成手段は、送信側パケットタイプ制御手段からのパケットタイプ情報と、ペイロード分離手段からの分離されたパケットヘッダからショートヘッダを生成し、
送信側符号変換手段は、ペイロード分離手段からの分離されたペイロードの符号化された音声信号を符号変換制御手段からの情報に基づき、音声符号化方式で更に符号化し、
送信側パケット組み立て手段は、ショートヘッダ生成手段からのショートヘッダと、送信側符号変換手段からの符号化音声データとをパケットに組み立てて送出する構成にされたことを特徴とする音声伝送装置。
【請求項２】
対向する音声伝送装置からの送信パケットを受信する受信側装置として、パケット分離手段と、受信側パケットタイプ制御手段と、受信側符号変換手段と、パケットヘッダ復元手段と、SIPパケットモニタ手段と、受信側パケット組み立て手段とを備え、
パケット分離手段は、対向の音声伝送装置より受信したパケットから符号化音声データとショートヘッダを分離し、
受信側パケットタイプ制御手段は、パケット分離手段からパケットに含まれるパケットタイプ情報を取得して区間内符号化方式及び区間外符号化方式を判定し、
受信側符号変換手段は、受信側パケットタイプ制御手段からの情報を基に、パケット分離手段からの符号化音声データの符号変換を実施し、
パケットヘッダ復元手段は、SIPパケットモニタ手段からの情報に基づき、パケット分離手段からのショートヘッダをIP/UDP/RTPパケットヘッダに復元してパケットヘッダを生成し、
受信側パケット組み立て手段はパケットヘッダ復元手段からのIP/UDP/RTPパケットヘッダと、受信側符号変換手段からの符号化音声データとをパケットに組み立てて送出する構成にされたことを特徴とする音声伝送装置。
【請求項３】
対向する音声伝送装置からの送信パケットを受信し、受信パケットの到着遅延揺らぎの観測結果を出力する受信側装置を備え、
送信側符号変換手段は、伝送音声品質は劣るが高圧縮符号化方式と、伝送音声品質は高品質であるが圧縮効率は劣る高品質符号化方式との２種類を用意し、符号変換制御手段は、受信側装置からパケットの到着遅延揺らぎの観測結果を受け取り、この到着遅延揺らぎ量に応じて選択する符号化方式を切り替える構成にされたことを特徴とする請求項１記載の音声伝送装置。
【請求項４】
異なる複数の符号化率を符号変換制御手段で選択でき、選択された符号化率で符号化された音声データにショートヘッダを組み立てたパケットを送信する送信側装置を備え、
受信側装置に、対向する音声伝送装置から受信するパケットの到着遅延揺らぎを観測し、その結果を送信側装置の符号変換制御手段に通知する揺らぎ観測手段をさらに備えたことを特徴とする請求項２記載の音声伝送装置。
【請求項５】
対向する音声伝送装置からの送信パケットを受信し、受信するパケット損失量の観測結果を出力する受信側装置を備え、
送信側符号変換手段は、伝送音声品質は劣るが高圧縮符号化方式と、伝送音声品質は高品質であるが圧縮効率は劣る高品質符号化方式との２種類を用意し、符号変換制御手段は、受信側装置からの受信パケット損失の観測結果を受け取り、パケット損失量に応じて選択する符号化方式を切り替える構成にされたことを特徴とする請求項１記載の音声伝送装置。
【請求項６】
異なる複数の符号化率を符号変換制御手段で選択でき、選択された符号化率で符号化された音声データにショートヘッダを組み立てたパケットを送信する送信側装置を備え、
受信側装置に、対向する音声伝送装置から受信するパケットのパケット損失を観測し、その結果を送信側装置の符号変換制御手段に通知するパケット損失観測手段をさらに備えたことを特徴とする請求項２記載の音声伝送装置。
【請求項７】
送信側装置は、送信側パケット組み立て手段から対向する音声伝送装置に向かって出力されるパケットの伝送容量を観測し、その結果を符号変換制御手段に通知する伝送容量観測手段をさらに備え、
送信側符号変換手段は、伝送音声品質は劣るが高圧縮符号化方式と、伝送音声品質は高品質であるが圧縮効率は劣る高品質符号化方式との２種類を用意し、符号変換制御手段では、伝送容量観測手段からの出力パケットの伝送容量に応じて選択する符号化方式を切り替える構成にされたことを特徴とする請求項１記載の音声伝送装置。
【請求項８】
送信側装置は、送信側パケット組み立て手段から対向する音声伝送装置に向かって出力される呼数を観測し、その結果を符号変換制御手段に通知する通信呼数計測手段をさらに備え、
送信側符号変換手段は、伝送音声品質は劣るが高圧縮符号化方式と、伝送音声品質は高品質であるが圧縮効率は劣る高品質符号化方式との２種類を用意し、符号変換制御手段では、通信呼数計測手段からの出力呼数に応じて選択する符号化方式を切り替える構成にされたことを特徴とする請求項１記載の音声伝送装置。
【発明の詳細な説明】
【技術分野】
【０００１】
この発明は、パケット化された音声データをインターネット等を経由して送受信するシステムに用いられる音声伝送装置に関する。
【背景技術】
【０００２】
パケット化された音声データ（音声パケット）をインターネット経由で効率よく送受信する方法として、ヘッダ圧縮機能が知られている。
ヘッダ圧縮機能を実現する技術として、IETF（Internet Engineering Task Force）の標準文書であるRFC2508やRFC3095に記載された方式がある。これらの方式を用いる事で通常40バイトのIP/UDP/RTP (Internet Protocol/User Datagram Protocol/Real-time Transport Protocol)ヘッダを２〜４バイトに圧縮する事が出来る。これらの方法は、最初に圧縮していないフルヘッダを送り、そこからの差分としてそれ以降の圧縮ヘッダを送出するものである。
【０００３】
【非特許文献１】Casner & Jacobson “Compressing IP/UDP/RTP Headers for Low-Speed Serial Links” IETF RFC2508,Feb 1999
【非特許文献２】Bormann,et al “RObust Header Compression(ROHC):Framework and four profiles :RTP,UDP,ESP,and uncompressed”IETF RFC3095,Jul 2001である
【発明の開示】
【発明が解決しようとする課題】
【０００４】
伝送帯域が限られている伝送路を用いて通信を行っている場合には、ヘッダ圧縮や符号変換などで、更なる効率化伝送を目指すが、複数の呼が通信中であり更に新たな呼を接続して、使用を開始したときにフルヘッダのパケットが送出されると、他の呼のパケットに廃棄や遅延を生じさせるなどの悪影響を与えると言う問題があった。
【０００５】
この発明は上記のような問題点を解決するためになされたもので、呼の先頭にフルヘッダのパケットを送る必要が無く、効率的な伝送を実現でき、更に、符号変換時にも適用符号化方式の情報をより少ない情報にて伝送できる事を目的とする。
【課題を解決するための手段】
【０００６】
この発明に係る音声伝送装置は、受信側装置を備えた受信側の音声伝送装置にパケットを送信する送信側装置として、イロード分離手段と、ショートヘッダ生成手段と、SIPパケットモニタ手段と、送信側符号変換手段と、送信側パケット組み立て手段と、符号変換制御手段と、送信側パケットタイプ制御手段とを備え、
ペイロード分離手段は、入力されたIP/UDP/RTPパケットからパケットヘッダとペイロードを分離し、
符号変換制御手段は、複数の区間内符号化方式から一つの符号化方式を選択し、
SIPパケットモニタ手段は、入力されたSIPパケットをモニタして取得した区間外で使用する符号化方式とIP/UDP/RTPパケットヘッダに関する情報を出力し、
送信側パケットタイプ制御手段は、SIPパケットモニタ手段からの区間外符号化方式情報と、符号変換制御手段からの区間内符号化方式情報とを組み合わせてパケットタイプ情報を生成し、
ショートヘッダ生成手段は、送信側パケットタイプ制御手段からのパケットタイプ情報と、ペイロード分離手段からの分離されたパケットヘッダからショートヘッダを生成し、
送信側符号変換手段は、ペイロード分離手段からの分離されたペイロードの符号化された音声信号を符号変換制御手段からの情報に基づき、音声符号化方式で更に符号化し、
送信側パケット組み立て手段は、ショートヘッダ生成手段からのショートヘッダと、送信側符号変換手段からの符号化音声データとをパケットに組み立てて送出する構成にされる。
【０００７】
また、この発明に係る音声伝送装置は、対向する音声伝送装置からの送信パケットを受信する受信側装置として、パケット分離手段と、受信側パケットタイプ制御手段と、受信側符号変換手段と、パケットヘッダ復元手段と、SIPパケットモニタ手段と、受信側パケット組み立て手段とを備え、
パケット分離手段は、対向の音声伝送装置より受信したパケットから符号化音声データとショートヘッダを分離し、
受信側パケットタイプ制御手段は、パケット分離手段からパケットに含まれるパケットタイプ情報を取得して区間内符号化方式及び区間外符号化方式を判定し、
受信側符号変換手段は、受信側パケットタイプ制御手段からの情報を基に、パケット分離手段からの符号化音声データの符号変換を実施し、
パケットヘッダ復元手段は、SIPパケットモニタ手段からの情報に基づき、パケット分離手段からのショートヘッダをIP/UDP/RTPパケットヘッダに復元してパケットヘッダを生成し、
受信側パケット組み立て手段はパケットヘッダ復元手段からのIP/UDP/RTPパケットヘッダと、受信側符号変換手段からの符号化音声データとをパケットに組み立てて送出する構成にされる。
【発明の効果】
【０００８】
この発明の音声伝送装置によれば送信側装置の、SIPパケットモニタ手段で装置が受信したSIPパケットをモニタして音声パケットに関する送出先アドレス情報や区間外符号化方式情報などを取得し、送信側パケットタイプ制御手段で、SIPパケットモニタ手段からの区間外符号化方式情報と、符号変換制御手段からの区間内符号化方式情報とを組み合わせてパケットタイプ情報を生成し、ショートヘッダ生成手段で、送信側パケットタイプ制御手段からのパケットタイプ情報と、ペイロード分離手段からの分離されたパケットヘッダから、SIPパケットモニタ手段で取得した音声パケットに関する送出先アドレス情報を割愛し、パケットタイプ情報を付加してショートヘッダを生成し、送信側符号変換手段で、ペイロード分離手段からの分離されたペイロードの符号化された音声信号を符号変換制御手段からの情報に基づき、更に高効率な音声符号化方式で符号化し、送信側パケット組み立て手段で、ショートヘッダ生成手段からのショートヘッダと、送信側符号変換手段からの符号化音声データとをパケットに組み立てて対向する音声伝送装置に送出しているので、音声伝送装置間で呼の最初から情報を削減し圧縮したショートヘッダにてパケット伝送を行う事ができ、また、符号変換時にも音声伝送装置間及び装置区間外に適用する音声符号化方式の情報をより少ない情報にて伝送できる。
【０００９】
この発明の音声伝送装置によれば受信側装置は、対向する音声伝送装置から受信したパケットを分離するパケット分離手段からのパケット情報を受信側パケットタイプ制御手段が受け取り、この受信側パケットタイプ制御手段からの情報を基に、パケット分離手段からの音声データの符号変換を受信側符号変換手段で実施し、パケットヘッダ復元手段で、SIPパケットモニタ手段からの情報に基づき、パケット分離手段で分離されたショートヘッダをIP/UDP/RTPパケットヘッダに復元してパケットヘッダを生成し、受信側パケット組み立て手段で、パケットヘッダ復元手段からのパケットヘッダと、受信側符号変換手段からの出力をパケットに組み立てて電話装置側に送出する構成にしているので、音声伝送装置間で呼の最初から情報が削減されて圧縮されたショートヘッダで伝送されたパケットや、音声伝送装置間及び装置区間外に適用する音声符号化方式の情報をより少ない情報にて符号変換されて伝送された信号にも対応できる。
【発明を実施するための最良の形態】
【００１０】
実施の形態１．
図１はこの発明の音声伝送装置が適用される音声通信システムの一実施の形態を示す構成図である。図１において、１Ａ及び１Ｂはこの発明の音声伝送装置、２Ａ及び２Ｂは電話装置、３はSIP（Session Initiation Protocol）サーバである。電話装置２Ａ及び２Ｂは、SIPサーバ３を経由して装置間で取り決めた音声符号化方式にて音声信号をデジタル化してIPパケットとし通信を行う。音声伝送装置１Ａと電話装置２Ａとの間、及び、音声伝送装置１Ｂと電話装置２Ｂとの間は、前記取り決めた音声符号化方式を用いて音声信号を伝送する。音声伝送装置１Ａ及び１Ｂの間は、ヘッダを圧縮し、更に音声信号の符号変換を行って、高効率な伝送を行う。
【００１１】
図２はこの発明の音声伝送装置の一実施の形態を示す構成図である。図２において、１１は電話装置２側からIP/UDP/RTPパケットを受信するIP/UDP/RTPパケット入力部、１２はIP/UDP/RTPパケット入力部１１で受信したIP/UDP/RTPパケットからIP/UDP/RTPヘッダ部とペイロード部とを分離するペイロード分離部、１３はペイロード分離部１２で分離されたIP/UDP/RTPヘッダ部を圧縮したショートヘッダに生成するショートヘッダ生成部、１４はペイロード分離部１２で分離されたペイロード部の音声データの符号変換を実施する送信側符号変換部、１５はショートヘッダ生成部１３で生成されたショートヘッダと、送信側符号変換部１４で符号変換された音声データを用いてパケットを組み立て送出する送信側パケット組立部、１６はショートヘッダ生成部１３で生成されるショートヘッダに含めるパケットタイプ情報を制御する送信側パケットタイプ制御部、１７は符号変換に適用する音声符号化方式を制御する符号変換制御部である。
【００１２】
１８は対向の音声伝送装置から受信したパケットをヘッダ部とペイロード部に分離するパケット分離部、１９は受信したパケットのヘッダ部に含まれるパケットタイプ情報をパケット分離部１８から受け取り、このパケットタイプ情報により音声データを符号変換する符号化方式を制御する受信側パケットタイプ制御部、２０はパケット分離部１８で分離されたペイロード部音声データの符号変換を受信側パケットタイプ制御部１９からのパケットタイプ情報に基づき実施する受信側符号変換部、２１はSIPパケットモニタ部２２からの情報に基づき圧縮されたショートヘッダを通常のIP/UDP/RTPヘッダへ復元を行うパケットヘッダ復元部、２３は受信側符号変換部２０で符号変換されたペイロード部音声データとパケットヘッダ復元部２１で復元されたIP/UDP/RTPヘッダを組み立てて、IP/UDP/RTPの通常のヘッダを持つパケットを組み立てる受信側パケット組立部、２２はSIPパケットをモニタしIP/UDP/RTPヘッダの圧縮・復元に必要な情報を抽出するSIPパケットモニタ部、２４は電話装置２側にIP/UDP/RTPパケットを出力するIP/UDP/RTPパケット出力部である。なお、SIPパケットモニタ部２２はIP/UDP/RTPヘッダの圧縮用とIP/UDP/RTPヘッダの復元用と別々に設けてもよい。
【００１３】
次に動作について説明する。図２において、電話装置２側から受信した音声パケットであるIP/UDP/RTPパケットはIP/UDP/RTPパケット入力部１１を介してペイロード分離部１２に入力される。IP/UDP/RTPパケットはペイロード分離部１２でIP/UDP/RTPのヘッダ部分と音声データが格納されているペイロード部に分離され、それぞれ、ショートヘッダ生成部１３、送信側符号変換部１４に出力される。またヘッダ部に含まれるペイロード部の音声符号化方式を示す情報も送信側符号変換部１４に出力される。ショートヘッダ生成部１３では、SIPパケットモニタ部２２でSIPパケットをモニタする事で既知となっている送信先IPアドレスや送信元IPアドレス、ポート番号などの情報、及び、RTPバージョン番号などの固定的な情報などは割愛する事でヘッダ部の情報を削減すると共に、音声伝送装置区間内の音声符号化方式情報と区間外の音声符号化方式情報の２つの情報を合わせ持つパケットタイプ情報を付加してショートヘッダを生成する。このショートヘッダは最初からSIPパケットをモニタする事で得られている情報を含まないため、呼の最初から情報が削減された圧縮ヘッダとなる。
【００１４】
送信側符号変換部１４では、符号変換制御部１７からの指示に基づきペイロード分離部１２から入力した音声符号化データの符号変換を実施する。送信側パケット組立部１５ではショートヘッダ生成部１３からのショートヘッダと送信側符号変換部１４からの音声符号化データとでパケットを組み立てて対向する音声伝送装置に向かって出力する。送信側パケットタイプ制御部１６ではSIPパケットモニタ部２２から通知された音声伝送装置区間外での音声符号化方式と、符号変換制御部１７にて決定した音声伝送装置区間内に適用する音声符号化方式とを表すパケットタイプ情報を生成し、ショートヘッダ生成部１３に通知する。
【００１５】
ここで、パケットタイプ情報について詳しく説明する。RTPヘッダにはペイロードに格納されている符号化音声データの符号化方式を表すパケットタイプと呼ばれる情報がある。この情報は７ビットで表され、各種コーデックがサポートされている。音声伝送装置間で更なる高効率伝送を目指し、符号化音声データを更に高効率な音声符号化方式にて圧縮する符号変換を行うと、音声伝送装置間に適用された音声符号化方式を表す情報と、受信側音声伝送装置で元の音声符号化方式に戻すために音声伝送装置区間外に適用された音声符号化方式を表す情報とが必要となる。音声伝送装置間に適用する音声符号化方式が２種類あるとすると、音声伝送装置区間内の音声符号化方式を現すために２ビットが必要となる。
【００１６】
図３には、パケットタイプ例を示す。音声伝送装置区間外の音声符号化方式を表す情報としてRTP標準のパケットタイプを使用すると、音声伝送装置区間内の音声符号化方式を表す情報と合わせて９ビットの情報が必要となる。この発明によると、SIPパケットをモニタする事で音声伝送装置区間外に適用される音声符号化方式が限定され、図４に示したようなSIPメッセージの例では、PCMμ-lawとG.729の２種類の音声符号化方式が用いられる事がわかる。この事を利用し、図３に示したように音声伝送装置区間外の音声符号化方式を表す情報として２ビット、音声伝送装置区間内の音声符号化方式を表す情報２ビットと加えて、４ビットの情報で済むこととなり、音声伝送装置区間を伝送する情報として情報圧縮が可能となる。
【００１７】
更に、各ブロックの動作を説明する。符号変換制御部１７では、音声伝送装置間に適用される音声符号化方式を決定し、その旨を送信側符号変換部１４及び送信側パケットタイプ制御部１６に伝える。パケット分離部１８では、対向装置から受信したパケットをヘッダ部とペイロード部に分離し、ヘッダ部はパケットヘッダ復元部２１に、ペイロード部は受信側符号変換部２０にそれぞれ出力される。また、ヘッダ部に含まれるパケットタイプ情報は受信側パケットタイプ制御部１９へ出力される。受信側パケットタイプ制御部１９では、パケット分離部１８からの受信したパケットに関するパケットタイプ情報を受け取り、受信側符号変換部２０に対して符号変換すべき符号化方式の指示を与える。
【００１８】
受信側符号変換部２０では、受信側パケットタイプ制御部１９から受け取った指示に従って、パケット分離部１８から受け取った音声データに対して、符号変換処理を実施する。パケットヘッダ復元部２１では、パケット分離部１８から得た受信パケットのヘッダ情報とSIPパケットモニタ部２２からの送信先IPアドレスや送信元IPアドレスなどの情報を基に、通常のIP/UDP/RTPパケットヘッダを復元する。受信側パケット組立部２３では、受信側符号変換部２０から受け取った音声符号化データと、パケットヘッダ復元部２１から受け取ったパケットヘッダ情報とを基にパケットを組み立てて、IP/UDP/RTPパケット出力部２４を介して電話装置２へ送出するためネットワークへ送出する。SIPパケットモニタ部２２では受信したSIPパケットから該当呼で使用される送信先IPアドレスや送信元IPアドレス、ポート番号、及び、音声伝送装置区間外で使用される音声符号化方式情報などの情報を抽出し、送信側パケットタイプ制御部１６やパケットヘッダ復元部２１に通知する。
【００１９】
以上のように、実施の形態１による音声伝送装置によれば、SIPパケットモニタ手段で装置が受信したSIPパケットをモニタして音声パケットに関する送出先アドレス情報や区間外符号化方式情報などを取得し、送信側パケットタイプ制御手段で、SIPパケットモニタ手段からの区間外符号化方式情報と、符号変換制御手段からの区間内符号化方式情報とを組み合わせてパケットタイプ情報を生成し、ショートヘッダ生成手段で、送信側パケットタイプ制御手段からのパケットタイプ情報と、ペイロード分離手段からの分離されたパケットヘッダから、SIPパケットモニタ手段で取得した音声パケットに関する送出先アドレス情報を割愛し、パケットタイプ情報を付加してショートヘッダを生成し、送信側符号変換手段で、ペイロード分離手段からの分離されたペイロードの符号化された音声信号を符号変換制御手段からの情報に基づき、更に高効率な音声符号化方式で符号化し、送信側パケット組み立て手段で、ショートヘッダ生成手段からのショートヘッダと、送信側符号変換手段からの符号化音声データとをパケットに組み立てて対向する音声伝送装置に送出し、
受信側符号変換手段で、対向する音声伝送装置から受信したパケットを分離するパケット分離手段からのパケット情報を受け取る受信側パケットタイプ制御手段からの情報を基に、パケット分離手段からの音声データの符号変換を実施し、パケットヘッダ復元手段で、SIPパケットモニタ手段からの情報に基づき、パケット分離手段で分離されたショートヘッダをIP/UDP/RTPパケットヘッダに復元してパケットヘッダを生成し、受信側パケット組み立て手段で、パケットヘッダ復元手段からのパケットヘッダと、受信側符号変換手段からの出力とをパケットに組み立てて電話装置側に送出する構成にしているので、音声伝送装置間で呼の最初から情報を削減し圧縮したショートヘッダにてパケット伝送を行う事ができ、また、符号変換時にも音声伝送装置間及び装置区間外に適用する音声符号化方式の情報をより少ない情報にて伝送できる。
【００２０】
実施の形態２．
図５はこの発明の実施の形態２を示す構成図である。図５において、３０は対向音声伝送装置から受信したパケットの到着遅延揺らぎ量を観測する遅延揺らぎ量観測部である。
その他の構成は、上記実施の形態１と同一もしくは相当する部分であり、同一符号で示し説明を省略する。
【００２１】
次に動作について説明する。図５において、電話装置２側から受信した音声パケットであるIP/UDP/RTPパケットはIP/UDP/RTPパケット入力部１１を介してペイロード分離部１２に入力される。ペイロード分離部１２ではIP/UDP/RTPのヘッダ部分と音声データが格納されているペイロード部に分離され、それぞれ、ショートヘッダ生成部１３、送信側符号変換部１４に出力される。またヘッダ部に含まれるペイロード部の音声符号化方式を示す情報も送信側符号変換部１４に出力される。
【００２２】
ショートヘッダ生成部１３では、SIPパケットモニタ部２２でSIPパケットをモニタする事で既知となっている送信先IPアドレスや送信元IPアドレス、ポート番号などの情報、及び、RTPバージョン番号などの固定的な情報などは割愛する事でヘッダ部の情報を削減すると共に、音声伝送装置区間内の音声符号化方式情報と区間外の音声符号化方式情報の２つの情報を合わせ持つパケットタイプ情報を付加してショートヘッダを生成する。このショートヘッダは最初からSIPパケットをモニタする事で得られている情報を含まないため、呼の最初から情報が削減された圧縮ヘッダとなる。
【００２３】
送信側符号変換部１４では、符号変換制御部１７からの指示に基づき、ペイロード分離部１２から入力した音声符号化データの符号変換を実施する。送信側パケット組立部１５ではショートヘッダ生成部１３からのショートヘッダと送信側符号変換部１４からの音声符号化データとでパケットを組み立てて対向装置に向かって出力する。送信側パケットタイプ制御部１６ではSIPパケットモニタ部２２から通知された音声伝送装置区間外での音声符号化方式と、符号変換制御部１７にて決定した音声伝送装置区間内に適用する音声符号化方式とを表すパケットタイプ情報を生成し、ショートヘッダ生成部１３に通知する。
【００２４】
遅延揺らぎ量観測部３０では、対向音声伝送装置から到着するパケットの到着遅延揺らぎ量を観測して、その結果を符号変換制御部１７へ通知する。符号変換制御部１７では、遅延揺らぎ量観測部３０からの到着遅延揺らぎ量情報に基づき音声伝送装置間に適用する音声符号化方式を決定し、その旨を送信側符号変換部１４及び送信側パケットタイプ制御部１６に伝える。例えば、音声伝送装置間で適用する音声符号化方式として２種類の符号化方式があるとする。符号化方式Ａは符号化方式Ｂに比べ、高効率であり伝送レートが低い符号化方式であるが、高圧縮符号化方式であるため、音声品質については劣る符号化方式であるとする。遅延揺らぎ量が閾値Ａを超えた時には、音声伝送装置間のネットワークが輻輳状態になりつつあると判断し、より高効率な符号化方式Ａを選択するようにする。
【００２５】
以上のように、本実施の形態では、遅延揺らぎ量を検出し、遅延揺らぎ量に応じて音声符号化方式を効率的には劣るがより高品質な音声を伝える事ができる方式と、音声品質としては劣るが高効率な音声符号化方式とに切り替えることができるので、先の実施の形態１で得られた効果に加え、音声伝送装置間でネットワークが輻輳状態にない場合は効率的には劣るがより高品質な音声を伝える事ができ、輻輳状態になりつつある場合には音声品質としては劣るが高効率な音声符号化方式を適用する事で輻輳状態を回避できると言う効果がある。
【００２６】
また、遅延揺らぎ量観測部３０の代わりに、対向音声伝送装置から受信されるパケットのパケット損失を観測するパケット損失観測部を設け、その結果を符号変換制御部１７に通知するようにする。パケット損失数が閾値Ａを超えた時には音声伝送装置間のネットワークが輻輳状態になりつつあると判断し、より高効率な符号化方式Ａを選択するようにし、パケット損失数が閾値Ａ未満の時は符号化方式Ｂを選択するようにする。このようにする事でも同様の効果が得られる。
【００２７】
また、遅延揺らぎ量観測部３０の代わりに、送信側パケット組立部から対向音声伝送装置へ送出するパケットの伝送容量を観測する送出伝送容量観測部を設け、その結果を送信側符号変換制御部１７に通知するようにする。送出伝送容量が閾値Ａを超えた時には音声伝送装置間のネットワークが輻輳状態になりつつあると判断し、より高効率な符号化方式Ａを選択するようにし、送出伝送容量が閾値Ａ未満の時は符号化方式Ｂを選択するようにする。このようにする事でも同様の効果が得られる。
【００２８】
また、遅延揺らぎ量観測部３０の代わりに、送信側パケット組立部から対向音声伝送装置へ送出する呼の数を観測する伝送呼数観測部を設け、その結果を符号変換制御部１７に通知するようにする。伝送呼数が閾値Ａを超えた時には音声伝送装置間のネットワークが輻輳状態になりつつあると判断し、より高効率な符号化方式Ａを選択するようにし、伝送呼数が閾値Ａ未満の時は符号化方式Ｂを選択するようにする。このようにする事でも同様の効果が得られる。
【産業上の利用可能性】
【００２９】
この発明による音声伝送装置は、例えばVoIP（Voice over IP）システムに適用され、音声伝送装置間はヘッダを圧縮し、更に符号変換を行って、高効率な伝送を可能にする。
【図面の簡単な説明】
【００３０】
【図１】音声伝送装置が適用されるシステムの一実施の形態を示す構成図である。
【図２】この発明の音声伝送装置の実施の形態１を示す構成図である。
【図３】パケットタイプ例の説明図である。
【図４】SIPメッセージ例の説明図である。
【図５】この発明の音声伝送装置の実施の形態２を示す構成図である。
【符号の説明】
【００３１】
１Ａ、１Ｂ；音声伝送装置、２Ａ、２Ｂ；電話装置、３；SIPサーバ、１１；IP/UDP/RTPパケット入力部、１２；ペイロード分離部、１３；ショートヘッダ生成部、１４；送信側符号変換部、１５；送信側パケット組立部、１６；送信側パケットタイプ制御部、１７；符号変換制御部、１８；パケット分離部、１９；受信側パケットタイプ制御部、２０；受信側符号変換部、２１；パケットヘッダ復元部、２２；SIPパケットモニタ部、２３；受信側パケット組立部、２４；IP/UDP/RTPパケット出力部、３０；遅延揺らぎ量観測部。
【図１】
2008311858.tif 000003
【図２】
2008311858.tif 000004
【図３】
2008311858.tif 000005
【図４】
2008311858.tif 000006
【図５】
2008311858.tif 000007